(57)【要約】【課題】  サイクロン本体を上方を回してゴミ収集筒を分離することができ、ゴミ収集筒のゴミ収納容量を増大することができるサイクロン集塵装置を提供する。【解決手段】  本発明に係るサイクロン掃除機は、本体と、本体の内側に脱着自在に収められるゴミ収集筒と、ゴミ収集筒の上方に配され、ゴミ収集筒に選択的に分離または結合できるように本体に蝶番を介して取り付けられたサイクロン本体とを含む。【選択図】      図４
2006141982.tif 000002
【特許請求の範囲】
【請求項１】
本体と；
前記本体の内側に脱着自在に収められるゴミ収集筒と；
前記ゴミ収集筒の上方に配され、前記ゴミ収集筒に選択的に分離または結合できるように前記本体に蝶番を介して取り付けられたサイクロン本体とを含むことを特徴とするサイクロン掃除機。
【請求項２】
前記サイクロン本体は、前記ゴミ収集筒に結合された位置から上方に５°〜９０°の範囲で回転することを特徴とする請求項１に記載のサイクロン掃除機。
【請求項３】
前記ゴミ収集筒の上端に、前記ゴミ収集筒の前記本体からの取り出し方向に沿って上向きの傾斜を有するように成形された第１の傾斜部と、
前記サイクロン本体の下端に、前記ゴミ収集筒の第１の傾斜部の傾斜に相応する傾斜を有するように成形された第２の傾斜部とを更に含むことを特徴とする請求項２に記載のサイクロン掃除機。
【請求項４】
前記ゴミ収集筒の第１の傾斜部は、前記サイクロン本体を上方に回す時、前記第１の傾斜部の最頂点が前記サイクロン本体と干渉しないように成形されることを特徴とする請求項３に記載のサイクロン掃除機。
【請求項５】
前記本体に設けられ、前記ゴミ収集筒の移動をガイドする脱着ガイド部を更に含むことを特徴とする請求項４に記載のサイクロン掃除機。
【請求項６】
サイクロン本体は、多重サイクロンであることを特徴とする請求項１乃至５のいずれか一項に記載のサイクロン掃除機。
【請求項７】
前記サイクロン本体から蝶番までの距離は、前記サイクロン本体が前記ゴミ収集筒に対しほぼ垂直に移動ができる範囲で決められることを特徴とする請求項１に記載のサイクロン掃除機。
【請求項８】
蝶番を介して結合された蓋体を有する本体と；
前記蓋体に取り付けられたサイクロン本体と；
前記本体の内側に前記蓋体を閉じれば前記サイクロン本体に結合され、前記蓋体を開ければ前記サイクロン本体から分離するように収められたゴミ収集筒とを含むことを特徴とするサイクロン掃除機。
【請求項９】
前記ゴミ収集筒の上端に、前記ゴミ収集筒の前記本体からの取り出し方向に沿って上向きの傾斜を有するように成形された第１の傾斜部と、
前記サイクロン本体の下端に、前記ゴミ収集筒の第１の傾斜部の傾斜に相応する傾斜を有するように成形された第２の傾斜部とを更に含むことを特徴とする請求項８に記載のサイクロン掃除機。
【請求項１０】
前記ゴミ収集筒の第１の傾斜部は、前記サイクロン本体を上方に回す時、前記第１の傾斜部の最頂点が前記サイクロン本体と干渉しないように成形されることを特徴とする請求項９に記載のサイクロン掃除機。
【請求項１１】
前記本体に設けられ、前記ゴミ収集筒の移動をガイドする脱着ガイド部を更に含むことを特徴とする請求項１０に記載のサイクロン掃除機。
【請求項１２】
サイクロン本体は、多重サイクロンであることを特徴とする請求項８乃至１１のいずれか一項に記載のサイクロン掃除機。
【発明の詳細な説明】
【技術分野】
【０００１】
本発明は、掃除機に関し、より詳しくは、サイクロン集塵装置を使用してゴミ等を吸い込むサイクロン掃除機に関する。
【背景技術】
【０００２】
一般に、掃除機は、キャニスター型やアップライト型を問わず真空発生装置で吸引力を発生し、この吸引力でゴミ等を含むエアーを吸い込んだ後、集塵フィルタを用いてゴミ等をエアーから分離し収集する構造になっているため、必須として集塵フィルタを備えなければならない。また、継続した掃除により集塵フィルタがゴミ等でいっぱいになれば、ゴミ等が吸い込まれなくなるため、集塵フィルタを取り替える必要がある。ゴミ等でいっぱいになった集塵フィルタを取り替えるとき、汚れた集塵フィルタを使用者が直接手で触らなければならないため不便であり、且つ非衛生的であるという不具合がある。
【０００３】
このような実情に鑑みて、近年、集塵効率が高く、捕捉されたゴミ等を取り払ってから使用し続けることのできる半永久的なサイクロン集塵装置が開発され、広く使用されている。サイクロン集塵装置は、遠心分離の原理を用い、吸い込まれたエアーからゴミ等を分離する構造を有する。
【０００４】
この種のサイクロン集塵装置が掃除機の本体に設けられた一例が図１に示されている。
【０００５】
図１を参照するに、サイクロン集塵装置は、吸い込まれたエアーからゴミ等を分離するサイクロン本体１０と、サイクロン本体１０で分離されたゴミ等を収集するゴミ収集筒２０、及びゴミ収集筒２０をサイクロン本体１０に分離／結合する結合部材３０とを含む。
【０００６】
サイクロン本体１０の一方側には吸込ブラシ（図示せず）と連通する流入通路（図示せず）が設けられ、これにより吸込ブラシから流入された被掃除面のゴミ等は、流入通路を通ってサイクロン本体１０の内部に流入される。ここで、前記流入通路は、この通路を通って流入されるエアーがサイクロン本体１０の接線方向に沿って流入されるように配される。従って、流入通路を通って流入されるエアーは、サイクロン本体１０の内側壁面に沿って旋回気流を形成するようになる。
【０００７】
サイクロン本体１０の他方側には、真空発生装置（図示せず）と連通する排気通路１２が設けられる。サイクロン本体１０でゴミ等が分離されたエアーは、前記排気通路１２と真空発生装置を通って掃除機の本体１の外部に排出される。そして、前記サイクロン本体１０でエアーから分離されたゴミ等は、その下方に結合されたゴミ収集筒２０に収集される。
【０００８】
ゴミ収集筒２０がゴミ等でいっぱいになれば、掃除機の掃除効率が落ちるため、ゴミ収集筒２０に溜まったゴミ等を取り払う必要がある。ゴミ収集筒２０からゴミ等を取り払うためには、まず、ゴミ収集筒２０の下に取り付けてある結合部材３０を一方側に回す。そうすれば、ゴミ収集筒２０がサイクロン本体１０から分離され、使用者がゴミ収集筒２０を掃除機本体１から取り出すことができる。
【０００９】
ゴミ収集筒２０内のゴミ等を取り払った後、再びゴミ収集筒２０を本体１に収めるためには、ゴミ収集筒２０を結合部材３０の上側に置いて結合部材３０を前記分離するときと逆の方向に回せば、ゴミ収集筒２０がサイクロン本体１０の下端に結合されるようになる。
【００１０】
しかし、このような構造のサイクロン集塵装置では、ゴミ収集筒２０をサイクロン本体１０と分離するためにゴミ収集筒２０を上下に移動する必要があるため、ゴミ収集筒２０が上下に移動するための空間及びゴミ収集筒２０を上下に移動させるための結合部材３０が取り付けられる空間を必要とし、これは、ゴミ収集筒の設置空間の増大につながりうる。また、グリル部が突出した形状を有するサイクロン本体１０の場合には、ゴミ収集筒２０の分離時にグリル部と干渉しないようにするためにゴミ収集筒２０の上下移動距離をより大きくする必要があるため、更なるゴミ収集筒の設置空間の増大につながりうる。従って、掃除機を小型化する場合には、ゴミ収集筒２０の分離／結合に要する空間分ゴミ収集筒２０のゴミ収納容量を小さくして製造せざるを得ない。
【００１１】
または、図示していないが、一部のキャニスター型掃除機は、ゴミ収集筒を上下に乗降させずにサイクロン本体に分離／結合可能な構造になっている。しかし、この種の掃除機では、ゴミ収集筒を分離するとき、グリル部とゴミ収集筒との干渉を避けるためにグリル部がサイクロン本体から突出しないようにする必要があり、これは、ゴミ収集筒の小型化につながる。
【００１２】
前述したように、ゴミ収集筒２０の容量が小さいと、使用者が掃除中にゴミ収集筒２０に溜まったゴミ等を頻繁に取り払わなければならないため、使用上、不便であるという不具合がある。これを解決するためには、ゴミ収集筒２０のゴミ収納容量を増大しなければならない。しかし、ゴミ収集筒２０の容量を増大すれば、その分掃除機本体１の大きさも増大してしまうため、掃除機の小型化が不可能になるという問題が生じる。
【発明の開示】
【発明が解決しようとする課題】
【００１３】
本発明は、前記のような問題点を解決するためになされたものであって、その目的は、掃除機のサイズを従来と変わらないサイズを保ちつつ、従来よりゴミ収集筒のゴミ収納容量が増大できるサイクロン掃除機を提供することである。
【課題を解決するための手段】
【００１４】
前記のような本発明の目的は、本体と；前記本体の内側に脱着自在に収められるゴミ収集筒と；前記ゴミ収集筒の上方に配され、前記ゴミ収集筒に選択的に分離または結合できるように前記本体に蝶番を介して取り付けられたサイクロン本体とを含むサイクロン掃除機を提供することにより達成される。
【００１５】
ここで、前記サイクロン本体は、前記ゴミ収集筒に結合された位置から上方に５°〜９０°の範囲で回転することが好ましい。
【００１６】
また、前記ゴミ収集筒の上端に、前記ゴミ収集筒の前記本体からの取り出し方向に沿って上向きの傾斜を有するように成形された第１の傾斜部と、前記サイクロン本体の下端に、前記ゴミ収集筒の第１の傾斜部の傾斜に相応する傾斜を有するように成形された第２の傾斜部を更に含む。
【００１７】
そして、前記ゴミ収集筒の第１の傾斜部は、前記サイクロン本体を上方に回す時、前記第１の傾斜部の最頂点が前記サイクロン本体と干渉しないように成形される。
【００１８】
また、本発明に係るサイクロン掃除機は、前記本体に設けられ、前記ゴミ収集筒の移動をガイドする脱着ガイド部を更に含むことが好ましい。
【００１９】
そして、サイクロン本体は、多重サイクロンであってもよい。
【００２０】
また、前記サイクロン本体から蝶番までの距離は、前記サイクロン本体が前記ゴミ収集筒に対しほぼ垂直に移動ができる範囲で決めることが好ましい。
【００２１】
本発明の他の側面からみると、前記のような本発明の目的は、蝶番を介して結合された蓋体を有する本体と；前記蓋体に取り付けられたサイクロン本体と、前記本体の内側に前記蓋体を閉じれば前記サイクロン本体に結合され、前記蓋体を開ければ前記サイクロン本体から分離するように収められたゴミ収集筒とを含むサイクロン掃除機を提供することにより達成される。
【００２２】
ここで、前記ゴミ収集筒の上端に、前記ゴミ収集筒の前記本体からの取り出し方向に沿って上向きの傾斜を有するように成形された第１の傾斜部と、前記サイクロン本体の下端に、前記ゴミ収集筒の第１の傾斜部の傾斜に相応する傾斜を有するように成形された第２の傾斜部とを更に含む。
【００２３】
また、前記ゴミ収集筒の第１の傾斜部は、前記サイクロン本体を上方に回す時、前記第１の傾斜部の最頂点が前記サイクロン本体と干渉しないように成形される。
【００２４】
そして、前記サイクロン掃除機は、前記本体に設けられ、前記ゴミ収集筒の移動をガイドする脱着ガイド部を更に含むことが好ましい。
【発明の効果】
【００２５】
上述したように、本発明に係るサイクロン掃除機によれば、サイクロン集塵装置のサイクロン本体が掃除機の本体に蝶番を介して取り付けられ、上方へと回されるため、グリル部と干渉することなく従来のサイクロン集塵装置に比べてゴミ収集筒の高さを増大させることができる。従って、掃除機のサイズをそのまま保ちつつ、従来のゴミ収集筒よりゴミ収納容量を増大することができる。
【発明を実施するための最良の形態】
【００２６】
以下、添付した図面を参照して、本発明に係るサイクロン掃除機の実施例について説明する。添付した図面には、キャニスター型掃除機やアップライト型掃除機に基本として備えられる吸込ブラシ、真空発生装置、連結管路等は図示せず、本発明の要部であるサイクロン集塵装置とサイクロン集塵装置が取り付けられる本体の一部分だけを示している。また、添付した各図面において同一または類似の機能をする構成要素に同一の図面符号を付し、重複説明は省略する。
【００２７】
図２は、本発明に係るサイクロン掃除機の概念を示す図である。従って、図２には、掃除機の本体は示していない。図２を参照するに、ゴミ収集筒１０２は、掃除機の本体に脱着自在に収められており、サイクロン本体１０１は、掃除機の本体に蝶番１０３を介して所定の角度回転自在に取り付けられる。即ち、サイクロン本体１０１を蝶番１０３を介して上方に回し、ゴミ収集筒１０２を脱着することができる。このとき、サイクロン本体１０１から蝶番１０３までの間隔Ｌを大きくすればするほど、サイクロン本体１０１は、ほぼ垂直に昇降するようになる。従って、サイクロン集塵装置が組み込まれる掃除機の本体の構造によって蝶番までの距離を適宜選び、ゴミ収集筒１０２を容易に脱着できるサイクロン本体１０１の回転軌跡を決めることができる。
【００２８】
このように、サイクロン本体１０１を掃除機の本体に蝶番１０３を介して回転自在に取り付ければ、ゴミ収集筒１０２の脱着時にサイクロン本体１０１の中央から突出したグリル部１０５との干渉を避けることができるため、ゴミ収集筒１０２のゴミ収納容量を増大することができる。
【実施例１】
【００２９】
図３は、本発明に係るサイクロン掃除機の第１の実施例においてサイクロン集塵装置が掃除機の本体に取り付けられた状態を概略的に示す図である。図３を参照するに、サイクロン集塵装置１００は、掃除機の本体１に設けられた収納空間に収められ、サイクロン集塵装置１００の一方側には、真空発生装置（図示せず）が設けられている。そして、サイクロン集塵装置１００は、吸い込まれたエアーからゴミ等を分離するサイクロン本体１１０と、サイクロン本体１１０で分離されたゴミ等を収集するゴミ収集筒１２０を含む。
【００３０】
サイクロン本体１１０は、サイクロン集塵装置１００が収められた収納空間をなす本体１の隔壁２の所定箇所を基準に回転できるように蝶番を介して取り付けられる。即ち、サイクロン本体１１０の一方側には蝶番部１１１が設けられ、本体１の隔壁２には蝶番部１１１に対応する蝶番支持部１１２が設けられる。蝶番部１１１と蝶番支持部１１２は、サイクロン本体１１０を上方に所定の角度回してゴミ収集筒１２０を分離する際にゴミ収集筒１２０がサイクロン本体１１０の外周部や内側のグリル部１１５と干渉しない位置に設けられる。また、蝶番部１１１と蝶番支持部１１２は、サイクロン本体１１０がゴミ収集筒１２０と結合された位置からサイクロン本体１２０を上方に５°〜９０°の範囲で回すことができるように成形することが好ましい。この回し角度は、サイクロン集塵装置１００が設けられる掃除機の本体１及びゴミ収集筒１２０の構造によって決められる。
【００３１】
また、サイクロン本体１１０には、図示しないが吸込ブラシと連通する流入通路及び真空発生装置と連通する排気通路が設けられる。従って、吸込ブラシから流入されたゴミ等を含むエアーは、流入通路を通ってサイクロン本体１１０の内部に流入され、サイクロン本体１１０で遠心分離の原理で含まれていたゴミ等が分離されたエアーは、排気通路と真空発生装置を通って掃除機の本体１の外部に排出される。ここで、サイクロン本体１１０へゴミ等を含むエアーが流入され、このエアーからゴミ等が分離され、このゴミ等が分離されたエアーが掃除機の本体１の外部に排出されるようにするサイクロン本体１１０の詳細な構造は、公知された発明と同一であって本発明の要部ではないので、その詳細な説明を省略する。
【００３２】
ゴミ収集筒１２０は、前記サイクロン本体１１０でエアーから分離されたゴミ等が収集できるようにサイクロン本体１１０の下端に結合されるものであって、サイクロン本体１１０の下方で掃除機の本体１の収納空間に脱着自在に収められる。このとき、ゴミ収集筒１２０は、サイクロン本体１１０を上方に回せば、その上端がサイクロン本体１１０から分離され、サイクロン本体１１０を下方に回せば、その上端がサイクロン本体１１０の下端と結合できる位置に設置される。また、ゴミ収集筒１２０が収められる掃除機の本体１の収納空間の低部隔壁３には、ゴミ収集筒１２０の脱着をガイドし、ゴミ収集筒１２０が常に所定の位置に収められるようにガイドする脱着ガイド部１３０を設けることが好ましい。
【００３３】
このように、サイクロン本体１１０を掃除機の本体１に固設し上方に所定の角度回すことができる構造にすることにより、図４に示すように、ゴミ収集筒２０を昇降させ、ゴミ収集筒２０をサイクロン本体１０に分離／結合させる従来のサイクロン集塵装置（図４に点線で示す）に比べてゴミ収集筒１２０の高さをｈ程度更に高くすることができる。従って、従来よりゴミ収集筒１２０のゴミ収納容量が増大する。
【実施例２】
【００３４】
また、ゴミ収集筒１２０のゴミ収納容量を最大にするために、ゴミ収集筒１２０とサイクロン本体１１０とが結合される部分を傾斜するように成形することができる。この種のサイクロン集塵装置１００’を備えた掃除機の一例が、本発明に係るサイクロン掃除機の第２の実施例として図５に示されている。
【００３５】
図５を参照するに、サイクロン集塵装置１００’のサイクロン本体１１０’は、上述した第１の実施例と同様に、掃除機の本体１に蝶番を介して取り付けられており、その下方には、ゴミ収集筒１２０’が脱着自在に設けられる。なお、ゴミ収集筒１２０’の上端に第１の傾斜部１２７が設けられ、サイクロン本体１１０’の下端には、第２の傾斜部１１７が設けられるという点で相違している。
【００３６】
このとき、第１の傾斜部１２７は、ゴミ収集筒１２０’を掃除機の本体１から取り出す時、ゴミ収集筒１２０’の取り出し方向に沿って上向きの傾斜を有するように成形される。即ち、図４においてゴミ収集筒１２０’の取り出し方向を矢印方向Ａとすれば、ゴミ収集筒１２０’の上端は、図面中の左側が右側より高い傾斜を有するように成形される。また、サイクロン本体１１０’の下端の第２の傾斜部１１７は、ゴミ収集筒１２０’の第１の傾斜部１２７の傾斜に相応する傾斜を有するように成形される。従って、サイクロン本体１１０’とゴミ収集筒１２０’とは、隙間なく精度よく結合される。そして、ゴミ収集筒１２０’の第１の傾斜部１２７は、サイクロン本体１１０’を上方に回す間に第１の傾斜部１２７の最頂点（図５の左側部）がサイクロン本体１１０’、特に、その中央のグリル部１１５に干渉しないようにその傾斜が決められる。
【００３７】
前記のような構造を有するサイクロン掃除機においてゴミ収集筒１２０’を掃除機の本体１に対し脱着する過程について、添付した図５乃至図７を参照して説明する。
【００３８】
ゴミ収集筒１２０’がゴミ等でいっぱいになり、中に溜まったゴミ等を取り払う必要がある場合、使用者は、図６に示すように、サイクロン本体１１０’を上方に所定の角度回す。このとき、サイクロン本体１１０’が上方に回された状態であるため、ゴミ収集筒１２０’がサイクロン本体１１０’と干渉しない。そうすると、使用者は、ゴミ収集筒１２０’を掃除機の本体１から容易に取り出し、ゴミ収集筒１２０’内に溜まっているゴミ等を取り払うことができる（図７参照）。
【００３９】
その後、使用者は、ゴミ等の取り払い済みのゴミ収集筒１２０’を掃除機の本体１の収納空間に再び収めればゴミ等の取り払い作業が終了する（図６参照）。このとき、掃除機の本体１のゴミ収集筒１２０’が収められる隔壁３には、脱着ガイド部１３０が設けられているため、ゴミ収集筒１２０’は常に所定の位置を保持できるようになる。この状態で上方に回していたサイクロン本体１１０’を下方に回せば、図５に示すように、サイクロン本体１１０’の第２の傾斜部１１７がゴミ収集筒１２０’の第１の傾斜部１２７に結合される。従って、使用者は、掃除を続行することができる。
【実施例３】
【００４０】
図８は、本発明に係るサイクロン掃除機の第３の実施例においてサイクロン集塵装置が掃除機の本体に取り付けられた状態を概略的に示す図である。図８を参照するに、サイクロン集塵装置１００”は、上述した実施例と同様に掃除機の本体１の収納空間に収められ、吸い込まれたエアーからゴミ等を分離するサイクロン本体１１０”と、分離されたゴミ等を収集するゴミ収集筒１２０”を含む。
【００４１】
サイクロン本体１１０”は、上述した実施例とは異なって、掃除機の本体１の蓋体５に取り付けられている。蓋体５は、本体１に蝶番を介して取り付けられており、上方に所定の角度回すことができる。従って、図９に示すように、本体１の蓋体５を開ければ、サイクロン本体１１０”がゴミ収集筒１２０”から分離され、蓋体５を閉じれば、図８に示すように、サイクロン本体１１０”がゴミ収集筒１２０”と結合されるようになる。
【００４２】
ゴミ収集筒１２０”は、サイクロン本体１１０”の下端に結合され、サイクロン本体１１０”の下方で掃除機の本体１の収納空間に対し脱着自在に収められる。このとき、ゴミ収集筒１２０”は、本体の蓋体５を上方に開ければ、その上端がサイクロン本体１１０”から分離され、蓋体５を閉じれば、その上端がサイクロン本体１１０”の下端と結合できる位置に設置される。
【００４３】
また、ゴミ収集筒１２０”が収められる掃除機の本体１の収納空間の底部隔壁３には、ゴミ収集筒１２０”の脱着をガイドし、ゴミ収集筒１２０”が常に所定の位置を保持できるようにガイドする脱着ガイド部１３０を設けることが好ましい。
【００４４】
図１０は、上述した第３の実施例に係るサイクロン掃除機としてキャニスター型に適用された状態を示す図である。
【００４５】
掃除の際には、真空発生装置７で発生した吸引力により吸込管９と連通する吸込ブラシ（図示せず）からゴミ等を含むエアーがサイクロン本体１１０”に吸い込まれる。サイクロン本体１１０”内に吸い込まれたエアーは、旋回気流を形成し遠心分離の原理によりエアーに含まれたゴミ等が分離される。エアーから分離されたゴミ等は、サイクロン本体１１０”の下端に結合されたゴミ収集筒１２０”へと落下して収納される。サイクロン本体１１０”を通りながらゴミ等が分離されたエアーは、真空発生装置７を通って掃除機の本体１の外部に排出される。
【００４６】
このような過程を経てサイクロン集塵装置１００”のゴミ収集筒１２０”がゴミ等でいっぱいになれば、ゴミ収集筒１２０”を掃除機の本体１から分離し、ゴミ等を取り払わなければならない。
【００４７】
このために、使用者は本体１の蓋体５を上方に開ける。そうすると、図９に示すように、サイクロン本体１１０”がゴミ収集筒１２０”から分離された状態になる。この状態で、使用者は、本体１からゴミ収集筒１２０”を取り出してゴミ等を取り払った後、ゴミ収集筒１２０”を再び本体１に収める。その後、開けておいた本体の蓋体５を閉じれば、図８に示すように、サイクロン本体１１０”がゴミ収集筒１２０”と結合されるため、掃除ができる状態になる。即ち、使用者は、本体１の蓋体５だけを開閉することにより簡単にサイクロン本体１１０”をゴミ収集筒１２０”と分離／結合することができる。
【実施例４】
【００４８】
図１１は、本発明に係るサイクロン掃除機の第４の実施例であって多重サイクロン集塵装置が掃除機の本体に取り付けられた状態を概略的に示す図である。
【００４９】
サイクロン集塵装置として多重サイクロン集塵装置２００が使用された点の他には、サイクロン本体２１０を掃除機の本体１に蝶番２１１を介して取り付ける構造とゴミ収集筒２２０の構造及び脱着は、上述した実施例と同様であるため、その詳細な説明を省略する。
【００５０】
本発明は、上述した特定の実施例に限定されるものではなく、後述する特許請求の範囲に記載された本発明の思想を逸脱しない範囲内で当該発明の属する技術分野における通常の知識を有する者が行える単純な構成要素の置換、付加、削除、変更は、本発明の特許請求の範囲の記載範囲内に属することは自明である。
【産業上の利用可能性】
【００５１】
本発明に係るサイクロン掃除機は、掃除機産業分野で使用することができる。
【図面の簡単な説明】
【００５２】
【図１】従来技術に係るサイクロン集塵装置においてサイクロン集塵装置が本体に取り付けられた状態を概略的に示す図である。
【図２】本発明に係るサイクロン掃除機のサイクロン集塵装置の概念を示す図である。
【図３】本発明に係るサイクロン掃除機の第１の実施例において本体に取り付けられたサイクロン集塵装置を概略的に示す図である。
【図４】本発明に係るサイクロン掃除機においてゴミ収集筒の高さが従来のゴミ収集筒の高さより高くなることを説明するための図である。
【図５】本発明に係るサイクロン掃除機の第２の実施例において本体に取り付けられたサイクロン集塵装置を概略的に示す図である。
【図６】図５中のサイクロン集塵装置のサイクロン本体が所定の角度上方に回された状態を示す図である。
【図７】図６中のサイクロン集塵装置からゴミ収集筒を取り出した状態を示す図である。
【図８】本発明に係るサイクロン掃除機の第３の実施例において本体に取り付けられたサイクロン集塵装置を概略的に示す図である。
【図９】図８中のサイクロン集塵装置の蓋体が所定の角度上方に回転して開けられた状態を示す図である。
【図１０】図８中のサイクロン集塵装置の一例であってキャニスター型掃除機の本体の側断面図である。
【図１１】本発明に係るサイクロン掃除機の第４の実施例であって本体に取り付けられた多重サイクロン集塵装置を概略的に示す図である。
【符号の説明】
【００５３】
１      掃除機の本体
２、３  本体の隔壁
５      蓋体
７      真空発生装置
１００、１００’、１００”  サイクロン集塵装置
１０１、１１０、１１０’、１１０”  サイクロン本体
１０３、１１１  蝶番部
１１２  蝶番支持部
１０５、１１５  グリル部
１１７  第２の傾斜部
１０２、１２０、１２０’、１２０”  ゴミ収集筒
１２７  第１の傾斜部
１３０  脱着ガイド部
２００  多重サイクロン集塵装置
２１０  サイクロン本体
２２０  ゴミ収集筒
【図１】
2006141982.tif 000003
【図２】
2006141982.tif 000004
【図３】
2006141982.tif 000005
【図４】
2006141982.tif 000006
【図５】
2006141982.tif 000007
【図６】
2006141982.tif 000008
【図７】
2006141982.tif 000009
【図８】
2006141982.tif 000010
【図９】
2006141982.tif 000011
【図１０】
2006141982.tif 000012
【図１１】
2006141982.tif 000013